(57)【要約】【課題】遊技者に対する障害要因を低減しつつも簡易な構成の台間ラックを提案する。【解決手段】化粧パネル２０は、柱部２１と、柱部２１における長方向の両端に一体に形成され、柱部２１の強度を補う部分として柱部２１の裏面とされる側へ互いに対向する一対の補強部２３Ａ，２３Ｂと、柱部２１に対して一方の補強部２３Ｂ寄りに形成され、書類の挿入対象とされる開口２４と、一方の補強部２３Ｂのうち他方の補強部２３Ａと対向される面に固着され、該一方の補強部２３Ｂの先端から面方向に突出される部分２６Ｄが収容具３０の支持部分とされる板状の支持パネル２６とを有する。収容具３０は、支持部分２６Ｄに対して、箱状の第１のパネル４０と、板状の第２のパネル５０とが現場で組み合わされた状態で固定されて、開口２４から挿入される書類を収容対象とする収容空間ＡＲが構築される。【選択図】図６
2010227416.tif 000002
【特許請求の範囲】
【請求項１】
遊技島におけるパチンコ台の台間に配される板状の化粧パネルと、
上記化粧パネルに取り付けられる収容具と
を具え、
上記化粧パネルは、
柱部と、
上記柱部における長方向の両端に一体に形成され、上記柱部の強度を補う部分として上記柱部の裏面とされる側へ互いに対向される一対の補強部と、
上記柱部に対して一方の補強部寄りに形成され、書類の挿入対象とされる開口と、
上記一方の補強部のうち他方の補強部と対向される面に固着され、該一方の補強部の先端から上記面の方向に突出される部分が上記収容具の支持部分とされる板状の支持パネルと
を有し、
上記収容具は、
上記支持部分に対して、箱状の第１のパネルと、板状の第２のパネルとが組み合わされた状態で固定されて、上記開口から挿入される書類を収容対象とする収容空間が構築される
ことを特徴とする台間ラック。
【請求項２】
上記開口は、
上記柱部における長方向の切り込み部分が、上記収容具に対する位置付け部として上記柱部の裏面とされる側に互いに対向するようＲ状に折り曲げられて形成される
ことを特徴とする請求項１に記載の台間ラック。
【請求項３】
上記支持パネルは、
上記一方の補強部に近いほうの位置付け部との隙間を、上記収容具のパネル厚と同程度となるよう上記一方の補強部に対する上記収容具の支持部分の高さを調整する調整部
をさらに有することを特徴とする請求項２に記載の台間ラック。
【請求項４】
上記第１のパネル又は上記第２のパネルは、
上記第２のパネル又は上記第１のパネルの所定位置に設けられる孔に挿入可能な程度の大きさでなり、該孔近傍のパネル部分を、パネル面との間で挟み入れ可能な挟入部
をさらに有することを特徴とする請求項３に記載の台間ラック。
【請求項５】
上記化粧パネルは、
上記柱部における短方向の両端に一体に形成され、上記遊技島にネジ固定される部分として上記柱部の裏面とされる側へ互いに対向される一対の被固定部と
をさらに有することを特徴とする請求項１から請求項４いずれかに記載の台間ラック。
【発明の詳細な説明】
【技術分野】
【０００１】
本発明は台間ラックに関し、パチンコに関する技術分野において好適なものである。
【背景技術】
【０００２】
図１に示すように、パチンコの遊技ホールに構築される遊技設備（以下、これを遊技機島とも呼ぶ）１には、複数のパチンコ台２が通路に沿って並列され、列方向に隣接されるパチンコ台の間には、基材に対して化粧加工を施した化粧パネル３が配される。
【０００３】
またパチンコ台２における長方向の端部の一方には、玉貸出機４Ａ及びＣＲ（Card  Reader）ユニット４Ｂとを取り付けたサンドパネル４が付随される。ただしＣＲユニット４Ｂは取付対象として除かれる場合がある。
【０００４】
近年、ＣＲユニット４Ｂやパチンコ台２の多機能化等に伴って、ＣＲユニット４Ｂの取扱説明、リーチ演出に対する説明、あるいは、該リーチ演出の種と大当たりの期待度との関係等のように、パチンコ遊技に関する説明を示す書類（以下、これをパチンコ遊技説明書とも呼ぶ）が製作元ごとに作成される。
【０００５】
このパチンコ遊技説明書は、硬質のクリアホルダー（クリアファイルとも呼ばれる）に入れられ、サンドパネル４と化粧パネル３との隙間、あるいは、サンドパネル４とパチンコ台２との隙間などに挿入される。この収容手法は現在でも慣行となっている。
【０００６】
しかしながらこの収容手法では、サンドパネル４と化粧パネル３との隙間、あるいは、サンドパネル４とパチンコ台２との隙間が本来の収容スペースではないこともあり、該隙間に対してクリアホルダーを挿入し難い。このためクリアホルダーは膳板５に放置され、このことが遊技を妨害する一つの要因となっている。
【０００７】
ところで、パチンコ台に対する遊技スペースを広げて遊技者のサービスを向上させることを目的として、バックなどの荷物を置くための収納空間をパチンコ台間に設けた遊技機島が開示されている（例えば特許文献１参照）。
【０００８】
また、開閉自在の収納部を有する柱をパチンコ台間に設けた遊技機島が開示されている（例えば特許文献２参照）。
【先行技術文献】
【特許文献】
【０００９】
【特許文献１】特開平０６−１６５８７１号公報
【特許文献２】特開２００７−１４４１２０公報
【発明の概要】
【発明が解決しようとする課題】
【００１０】
特許文献１の遊技機島では収納空間を形成するためのパチンコ台間の構造は全く記載されていないが、該収納空間に置かれるものがバック等の荷物であることから、一定以上の荷重に耐え、かつ一定以上のスペースを確保し得る構造が必須となる。したがって特許文献１の遊技機島では部品点数又は組み立て工数が大幅に増加し複雑となる。
【００１１】
一方、特許文献２の遊技機島では、パチンコ台間の柱から開放された収納部自体が、遊技者に対する見通しを妨げるといった障害要因だけでなく、遊技者やその衣服を傷つけるといった障害要因にもなる。
【００１２】
本発明は以上の点を考慮してなされたもので、遊技者に対する障害要因を低減しつつも簡易な構成の台間ラックを提案しようとするものである。
【課題を解決するための手段】
【００１３】
かかる課題を解決するため本発明は、台間ラック（１０）であって、遊技島（１）におけるパチンコ台（２）の台間に配される板状の化粧パネル（２０）と、該化粧パネル（２０）に取り付けられる収容具（３０）とを具える。
化粧パネル（２０）は、柱部（２１）と、柱部（２１）における長方向の端に一体に形成され、該柱部（２１）の強度を補う部分として柱部（２１）の裏面とされる側へ互いに対向される一対の補強部（２３Ａ，２３Ｂ）と、柱部（２１）に対して一方の補強部（２３Ｂ）寄りに形成され、書類の挿入対象とされる開口（２４）と、一方の補強部（２３Ｂ）のうち他方の補強部（２３Ａ）と対向される面に固着され、該一方の補強部（２３Ｂ）の先端から面方向に突出される部分（２６Ｄ）が収容具（３０）の支持部分とされる板状の支持パネル（２６）とを有する。
収容具（３０）は、支持部分（２６Ｄ）に対して、箱状の第１のパネル（４０）と、板状の第２のパネル（５０）とが現場で組み合わされた状態で固定されて、開口（２４）から挿入される書類を収容対象とする収容空間（ＡＲ）が構築される。
【発明の効果】
【００１４】
本発明の台間ラック（１０）では、一方の補強部（２３Ｂ）に対して支持パネル（２６）を介して収容具（３０）が片持ちされる。また収容空間（ＡＲ）での収容対象は書類であるため、該収容空間（ＡＲ）を形成する収容具（３０）に対して加重された場合であっても、収容具（３０）の片持ち状態は保持される。
したがって、一定の片持ち強度が維持されつつも、収容具（３０）を双方の補強部（２３Ａ，２３Ｂ）で両持ちする場合に比べて部品点数又は現場での工程数が大幅に削減されるとともに構造も簡易となる。
また収容具（３０）は一方の補強部（２３Ｂ）に対して支持パネル（２６）を介して裏側において片持ちされるため、化粧パネル（２０）の柱部（２１）の表面に対してねじ、ビス又はリベット等の固定器具を露出させることなく一様に平坦にできる。
したがって、化粧パネル（２０）に対して収容空間（ＡＲ）を形成しても、その収容空間（ＡＲ）を構築する収容具（３０）自体が、遊技者に対する見通しを妨げることなく柱部（２１）に対する体裁をすっきりさせることができ、また遊技者やその衣服を傷つけることなく遊技者に対するリスクを低減することができる。
【００１５】
なお、（）内の番号は、実施の形態に相当する部分を引用したものであるが、当該実施の形態に限定されるということを意味するものではない。
【図面の簡単な説明】
【００１６】
【図１】遊技機島の構成を概略的に示す図である。
【図２】台間ラックの構成を概略的に示す図である。
【図３】化粧パネルの構成を概略的に示す図である。
【図４】左方側パネルの構成を概略的に示す図である。
【図５】右方側パネルの構成を概略的に示す図である。
【図６】台間ラックの組立の説明に供する概略図である。
【図７】収容具の組立の説明に供する概略図である。
【図８】遊技島への取付の説明に供する概略図である。
【発明を実施するための形態】
【００１７】
＜１．実施の形態＞
[台間ラックの構成]
図２において、台間ラック１０の概略的な構成を示す。この台間ラック１０は、パチンコ台２とサンドパネル４との間に配される化粧パネル２０と、収容具３０とによって構成される。
【００１８】
[化粧パネルの構成]
化粧パネル２０は板状の金属材に対して化粧加工を施したパネル（化粧板）でなり、該化粧パネル２０の中枢となるパネル部（以下、これを柱部とも呼ぶ）２１を有する。
【００１９】
この柱部２１における短方向の両端は、互いに対向するようＲ状に折り曲げられて、遊技島１の骨組みに固定されるパネル部（以下、これを骨組被固定部とも呼ぶ）２２Ａ，２２Ｂとして形成される。
【００２０】
柱部２１における長方向の両端は、互いに対向するようＲ状に折り曲げられて、該柱部２１の強度を補うパネル部（以下、これを補強部とも呼ぶ）２３Ａ，２３Ｂとして形成される。
【００２１】
また柱部２１の表面を基準として右下とされるべき部分には、パチンコ遊技説明書の挿入対象となる矩形状の開口（以下、これを書類挿入口とも呼ぶ）２４が形成される。
【００２２】
この実施の形態では、書類挿入口２４の右端が柱部２１の右端から８[ｍｍ]、該書類挿入口２４の左端が柱部２１の左端から４４[ｍｍ]、書類挿入口２４の下端が柱部２１の下端から６０[ｍｍ]程度とされ、書類挿入口２４は開口幅が１８[ｍｍ]、開口高が３２９[ｍｍ]程度とされる。
【００２３】
この書類挿入口２４は、柱部２１を単に切り抜いて形成されるのではなく、図３に示すように、柱部２１における長方向の切り込み部分が、収容具３０を位置付ける部（以下、これを収容位置決め部とも呼ぶ）２５Ａ，２５Ｂとして、互いに対向するよう裏側へＲ状に折り曲げられて形成される。
【００２４】
補強部２３Ａ，２３Ｂのうち、柱部２１の表面を基準として右とされるべき補強部２３Ｂには、収容具３０を支持する金属材の化粧パネル（以下、これを支持パネルとも呼ぶ）２６が取り付けられている。
【００２５】
この支持パネル２６は、パネル面に対して直交する断面が略コ字状となるよう長方向における一方の端部が折り曲げられることにより、パネル部２６Ａ〜２６Ｄとして形成される。
【００２６】
具体的にパネル部２６Ａは、柱部２１の裏面のうち補強部２３Ｂとの境界と、該境界に近い一方の収容位置決め部２５Ｂとの間（書類挿入口２４により生じる開口脇の狭い領域）の強度を補うパネル部（以下、これを狭領域補強部とも呼ぶ）として、当該裏面に当接される。
【００２７】
パネル部２６Ｂは、支持パネル２６全体を片方の補強部２３Ｂで支持するパネル部（以下、これを片持部とも呼ぶ）として、該補強部２３Ｂの裏面に固着される。この実施の形態では補強部２３Ｂとの境界部分が溶接される。
【００２８】
パネル部２６Ｃは、書類挿入口２４の開口面に対して直交する方向（挿入方向）に平行であり、収容具３０に対する固定ベースとなるパネル部（以下、これを収容具固定台部とも呼ぶ）とされ、補強部２３Ｂの先端から突出する部分にはボルト孔Ｈ１，Ｈ２が設けられる。
【００２９】
パネル部２６Ｄは、収容具固定台部２６Ｃと収容位置決め部２５Ｂとの隙間が収容具３０のパネル厚と同程度となるよう補強部２３Ｂに対する収容具固定台部２６Ｃの高さを調整するパネル部（以下、これを調整部とも呼ぶ）とされる。
【００３０】
[収容具の構成]
収容具３０（図２）は、化粧パネル２０（柱部２１）の正面を基準として左方側となるパネル（以下、これを左方側パネルとも呼ぶ）４０と、右方側となるパネル（以下、これを右方側パネルとも呼ぶ）５０とを現場で組み合わせて構築される。
【００３１】
[左方側パネルの構成]
図４に示すように、左方側パネル４０は、収容空間の左端を仕切るパネル部（以下、これを収容左端部とも呼ぶ）４１を有する。この収容左端部４１における長方向の一端は、書類挿入口２４の開口面に対応させて収容左端部４１の面に対して直行する方向へＲ状に折り曲げられ、収容空間の奥を仕切るパネル部（以下、これを収容奥部とも呼ぶ）４２として形成される。
【００３２】
収容左端部４１における短方向の両端は、書類挿入口２４の開口幅に対応させて収容奥部４２と同方向へＲ状に折り曲げられ、収容空間の上端を仕切るパネル部（以下、これを収容上端部とも呼ぶ）４３と、下端を仕切るパネル部（以下、これを収容下端部とも呼ぶ）４４として形成される。
【００３３】
また収容左端部４１における短方向の両端は、収容上端部４３，収容下端部４４から互いに離れる方向へＲ状にさらに折り曲げられ、右方側パネル５０に当接されるパネル部（以下、これを当接部とも呼ぶ）４５，４６として形成される。
【００３４】
当接部４５，４６には、化粧パネル２０における収容具固定台部２６Ｃ（図３）に設けられるボルト孔Ｈ１，Ｈ２に対応する位置にボルト孔Ｈ３，Ｈ４が設けられる。また当接部４５，４６には、左方側パネル４０を挟み入れさせるための孔（以下、これを挟入用孔とも呼ぶ）４７，４８が設けられる。
【００３５】
[右方側パネルの構成]
図５に示すように、右方側パネル５０は、収容空間の右端を仕切るパネル部（以下、これを収容右端部とも呼ぶ）５１を有する。この収容右端部５１における長方向の一端は、該収容右端部５１の面に対して直行する方向へＲ状に折り曲げられ、収容奥部４２（図４）を抑えるパネル部（以下、これを奥抑え部とも呼ぶ）５２として形成される。
【００３６】
収容右端部５１のうち、化粧パネル２０における収容具固定台部２６Ｃ（図３）のボルト孔Ｈ１，Ｈ２に対応する位置にはボルト孔Ｈ５，Ｈ６が設けられる。
【００３７】
また収容右端部５１のうち、左方側パネル４０における当接部４５，４６の挟入用孔４７，４８（図４）に対応する位置には、挟入用孔４７，４８近傍のパネル部分を収容右端部５１の面との間で挟み入れ可能な部（以下、これを挟入部とも呼ぶ）５３，５４が設けられる。
【００３８】
挟入部５３，５４は、挟入用孔４７，４８に挿入可能な程度のＬ字状とされ、当該挟入部５３，５４の挟入口は奥抑え部５２に向う方向と逆方向とされる。
【００３９】
[遊技島に対する台間ラックの取付工程]
以上の構成において、遊技島１に対して台間ラック１０を取り付ける場合、該台間ラック１０における化粧パネル２０、左方側パネル４０及び右方側パネル５０はそれぞれ非組立状態で、組立現場となるパチンコ店に搬送される。
【００４０】
したがって、左方側パネル４０，右方側パネル５０ごとに重ねられた状態での搬送が可能となるため、収容具３０として組み立てた状態でパチンコ店に搬送される場合に比べて、搬送スペースをとらず、搬送コストを削減できる。
【００４１】
第１工程として、組立現場となるパチンコ店に搬送された一対の左方側パネル４０と、右方側パネル５０とを組み合わせて収容具３０が構築される。
【００４２】
すなわち、左方側パネル４０（図４）における当接部４５，４６に設けられた挟入用孔４７，４８に対して、右方側パネル５０（図５）における収容右端部５１に設けられた挟入部５３，５４が挿入される。この挿入操作により、右方側パネル５０の収容右端部５１が、左方側パネル４０の当接部４５，４６に当接される。
【００４３】
この状態において、図６に示すように、左方側パネル４０における収容奥部４２に対して、右方側パネル５０における奥抑え部５２が接するまで、左方側パネル４０に対して右方側パネル５０をスライドさせる。
【００４４】
収容奥部４２に奥抑え部５２が接した場合、図７に示すように、左方側パネル４０における当接部４５，４６に設けられるボルト孔Ｈ３，Ｈ４と、右方側パネル５０における収容右端部５１に設けられるボルト孔Ｈ５，Ｈ６との位置は、化粧パネル２０における収容具固定台部２６Ｃのボルト孔Ｈ１，Ｈ２に対応されるため、ボルトが容易に挿入可能な状態とされる。
【００４５】
また挟入部５３，５４の挟入口は奥抑え部５２に向う方向と逆方向に開口されているため、収容奥部４２に奥抑え部５２が接した場合には、該挟入部５３，５４には挟入用孔４７，４８近傍のパネル部分が挟み入れられた状態にある。
【００４６】
したがって、収容奥部４２に奥抑え部５２が接した場合、挟入部５３，５４は左方側パネル４０と右方側パネル５０とが離れる方向への動きを抑制し、この結果、より一段と容易にボルトが挿入可能な状態とされる。
【００４７】
なおこの実施の形態の場合、収容具３０の構築によって形成される矩形状の収容空間ＡＲ（図７）は、Ａ４サイズのパチンコ遊技説明書の長方向を縦として収容可能であり、該収容空間ＡＲの奥行きは、Ａ４サイズの短方向の長さよりも、該収容空間ＡＲに収容されたパチンコ遊技説明書を書類挿入口２４から摘むことができる程度に短くされる。
【００４８】
第２工程として、収容具３０の構築によって形成される矩形状の収容空間ＡＲ（図７）の開口部分と、化粧パネル２０における柱部２１に形成される書類挿入口２４（図６，図３）とが位置決めされる。
【００４９】
書類挿入口２４は、柱部２１における長方向の切り込み部分が収容位置決め部２５Ａ，２５Ｂとして互いに対向するよう裏側へＲ状に折り曲げられて形成されているため、該書類挿入口２４と、収容空間ＡＲの開口部分との位置決めが容易となる。
【００５０】
また、化粧パネル２０における調整部２６Ｄが、収容具固定台部２６Ｃと収容位置決め部２５Ｂとの隙間を収容具３０のパネル厚と同程度となるよう調整されているため、該収容具固定台部２６Ｃに対して右方側パネル５０の収容右端部５１を接した状態では、書類挿入口２４と、収容空間ＡＲの開口部分との幅方向の位置決めが一義的に決まる。
【００５１】
したがって、書類挿入口２４と、収容空間ＡＲの開口部分との位置決めは高さ方向さえ行えばよいことになり、この結果、書類挿入口２４と、収容空間ＡＲの開口部分との位置決めがより一段と容易となる。
【００５２】
第３工程として、ボルト孔Ｈ１，Ｈ３，Ｈ５を介してボルト（図６）が挿入されるとともに、ボルト孔Ｈ２，Ｈ４，Ｈ６を介してボルト（図６）が挿入され、収容具固定台部２６Ｃに対して収容具３０が固定される。
【００５３】
化粧パネル２０における調整部２６Ｄが、収容具固定台部２６Ｃと収容位置決め部２５Ｂとの隙間を収容具３０のパネル厚と同程度となるよう調整されているため（図６，図３）、該隙間に収容具３０の一端（右方側パネル５０における収容右端部５１の開放端）が嵌まった状態となり、この結果、固定操作が簡易となる。
【００５４】
またボルト孔Ｈ１，Ｈ２は、収容具固定台部２６Ｃのうち補強部２３Ｂの先端から突出する部分に設けられているため（図６，図３）、該補強部２３Ｂに対して直にボルト孔Ｈ１，Ｈ２を設ける場合に比べて化粧パネル２０全体における強度を低減させることなく、補強部２３Ｂに対して支持パネル２６を介して収容具３０が片持ちされる。
【００５５】
また収容空間ＡＲでの収容対象は書類であるため、該収容空間ＡＲを形成する収容具３０に対して加重された場合であっても、収容具３０の片持ち状態は保持される。したがって、一定の片持ち強度が維持されつつも、収容具３０を補強部２３Ａ，２３Ｂで両持ちする場合に比べて部品点数又は組み立て工数が大幅に削減され簡易となる。
【００５６】
また収容具３０は補強部２３Ｂに対して支持パネル２６を介して片持ちされるため、化粧パネル２０の柱部２１の表面に対してねじ、ビス又はリベット等の固定器具を露出させることなく一様に平坦にできる。これに加えて、書類挿入口２４では、柱部２１における長方向の切り込み部分が収容位置決め部２５Ａ，２５Ｂとして裏側へＲ状に折り曲げられている。
【００５７】
したがって、化粧パネル２０に対して収容空間ＡＲを形成させたことが、通行人やその衣服を傷つける要因となることはないので、該通行人に対するリスクを低減でき、また化粧パネル２０の柱部２１に対する体裁をすっきりさせることができる。
【００５８】
第４工程として、化粧パネル２０に対して収容具３０が片持ちされた台間ラック１０が、遊技島１におけるパチンコ台２とサンドパネル４との間となる所定位置に取り付けられる。
【００５９】
すなわち、図８に示すように、遊技島骨組１Ｘでは、下段（台座）フレーム（図示せず）に中段フレーム１Ａが組み立てられ、その中段フレーム１Ａには、膳板５や支柱１Ｂが取り付けられ、該支柱１Ｂには上段フレーム１Ｃが取り付けられる。
【００６０】
上段フレーム１Ｃに設けられるボルト孔と、化粧パネル２０における骨組被固定部２２Ａに設けられるボルト孔（図３）とにボルト（図示せず）が挿入されることで台間ラック１０は上段フレーム１Ｃに固定される。
【００６１】
また中段フレーム１Ａに設けられるボルト孔と、化粧パネル２０における骨組被固定部２２Ｂに設けられるボルト孔（図３）とにボルト（図示せず）が挿入されることで台間ラック１０は中段フレーム１Ａに固定される。
【００６２】
ちなみに、膳板５のパチンコ台設置枠５Ａを基準としてパチンコ台２（図１）が設置され、そのほか遊技島１に要する器具等が遊技島骨組１Ｘに取り付けられ、図１に示すような遊技島１が完成される。
【００６３】
なお、以上の取付工程では台間ラック１０が構築された後に遊技島骨組１Ｘの所定位置に取り付けられた。しかしながらこの取付工程はあくまで一例である。別例として、遊技島骨組１Ｘの所定位置に化粧パネル２０を取り付けた後に台間ラック１０が構築される取付工程が採用されてもよく、これら例示以外の取付工程が採用されてもよい。
【００６４】
＜２．他の実施の形態＞
上述の実施の形態では、収容空間ＡＲ（図７）に対する収容対象はパチンコ遊技説明書とされた。しかしながら収容対象はこの実施の形態に限定されるものではない。例えば、景品引換所の案内地図、パチンコ店におけるイベントの日程又はその他の広告などが収容対象として適用可能である。要は、書類（硬質のクリアホルダーに入れられた書類も含む）が収容対象とされればよい。
【００６５】
上述の実施の形態では、書類の盗用又は消失を防止するため該書類に繋ぎ止められるチェーンを取り付ける取付具が省略された。この取付具を台間ラック１０の所定位置に設けた形態が適用されてもよい。特に、書類挿入口２４の内枠などといったように、収容空間ＡＲ（図７）内に設けた場合、遊技者やその衣服を傷つけることを防止する観点では有用となる。
【００６６】
上述の実施の形態では、補強部２３Ｂに対して支持パネル２６を介して収容具３０が水平に片持ちされたが、当該水平面に対して所定の傾斜角を有する状態で片持ちされてもよい。これは、例えば、収容具固定台部２６Ｂ（図３）に設けられるボルト孔Ｈ１，Ｈ２の位置を変更することにより実現可能である。水平面に対して所定の傾斜角を有する状態で収容具３０を片持ちした場合、収容空間ＡＲ（図７）に入ったパチンコ玉や、収容空間ＡＲ（図７）に溜まったゴミなどの撤去を簡易化する観点では有用となる。
【００６７】
上述の実施の形態では、柱部２１の右下部分に書類挿入口２４が形成された。しかしながら書類挿入口２４の形成位置はこの実施の形態に限定されるものではない。少なくとも、右又は左寄りに形成されていれば、高さ方向の位置は下側でなくてもよい。ただし、高さ方向の位置は、パチンコ台２の腰掛具に腰掛けた遊技者がパチンコ遊技説明書を出し入れし易い程度とされるほうが好ましい。
【００６８】
上述の実施の形態では、柱部２１に形成される書類挿入口２４は１つとされたが複数であってもよい。例えば、上述の書類挿入口２４に加えて、その上部位置に、あるいは、その対向位置に新たな書類挿入口が形成された形態が適用できる。この形態では、補強部２３Ａ又は２３Ｂに対して、各書類挿入口にそれぞれ対応する位置において仕切りパネル２６を介して収容具３０が片持ちされる。なお、これら収容具３０における収容空間ＡＲのサイズは異なっていてもよい。
【００６９】
上述の実施の形態では、柱部２１に形成される書類挿入口２４は非区割状態とされたが、Ａ４、Ｂ５、Ａ５サイズ等の挿入口として区割りするようにしてもよい。これは、例えば、書類挿入口２４の内枠と収容空間ＡＲとの双方又は一方に対して、複数の同じ又は相違するサイズの挿入口として区割りする仕切り部材を設けることにより実現可能である。
【００７０】
上述の実施の形態では、収容位置決め部２５Ａ，２５Ｂは柱部２１における長方向の切り込み部分を互いに対向するよう裏側へＲ状に折り曲げて形成された。この折曲角を鈍角として、収容位置決め部２５Ａ，２５Ｂがハ字状に折り曲げられてもよい。折曲角を鈍角とした場合、収容位置決め部２５Ａ，２５Ｂの根元部分が収容具３０を位置付ける部として機能し、残りの部分については、書類挿入口２４に挿入される書類を収容空間ＡＲに案内する部として機能するため、組立易さ及び挿入し易さの観点では有用となる。
【００７１】
上述の実施の形態では、左方側パネル４０が箱状とされ、右方側パネル５０が板状とされた。しかしながら左方側パネル４０が右方側パネル５０のように板状とされ、右方側パネル５０が左方側パネル４０のように箱状とされた形態であってもよい。
【００７２】
上述の実施の形態では、挟入用孔４７，４８が左方側パネル４０に設けられ、挟入部５３，５４が右方側パネル５０に設けられた。しかしながら挟入用孔４７，４８が右方側パネル５０に設けられ、挟入部５３，５４が左方側パネル４０に設けられた形態であってもよい。
【００７３】
上述の実施の形態では、化粧パネル２０は金属材に対して化粧加工を施された。しかしながら基材はこの実施の形態に限定されるものではない。例えば、合板、繊維板、パーティクルボード又はプラスチックなどが適用可能である。なお、各パネル２０，４０，５０でそれぞれ異なっていてもよい。ただし、補強部２３Ｂに対する片持部２６Ｂの固着手法は、適用すべき基材に応じて、粘着テープ又は接着剤などに代替される。ちなみに化粧加工には、合成樹脂を含ませた化粧紙を貼り付ける、印刷する、あるいは塗装する等がある。
【産業上の利用可能性】
【００７４】
本発明はパチンコ産業上において利用することができる。
【符号の説明】
【００７５】
１……遊技島、２……パチンコ台、３，２０……化粧パネル、４……サンドパネル、５……膳板、２１……柱部、２３Ａ，２３Ｂ……補強部、２４……書類挿入孔、２５Ａ，２５Ｂ……収容具位置決め部、２６……支持パネル、２６Ａ……狭領域補強部、２６Ｂ……片持部、２６Ｃ……収容具固定台部、２６Ｄ……調整部、３０……収容具、４０……左方側パネル、４１……収容左端部、４２……収容奥部、４３……収容上端部、４４……収容下端部、４５，４６……当接部、４７，４８……挟入用孔、５０……右方側パネル、５１……収容右端部、５２……奥抑え部、５３，５４……挟入部、Ｈ１〜Ｈ６ボルト孔、ＡＲ……収容空間。
【図１】
2010227416.tif 000003
【図２】
2010227416.tif 000004
【図３】
2010227416.tif 000005
【図４】
2010227416.tif 000006
【図５】
2010227416.tif 000007
【図６】
2010227416.tif 000008
【図７】
2010227416.tif 000009
【図８】
2010227416.tif 000010